(57)【要約】【課題】カラオケ装置が不要で、騒音を発生させることなく、自宅において手軽に使用でき、しかも、対応再生機器に限定がなく、幅広く利用することが可能な一人カラオケ用ユニットを提供することを課題とする。【解決手段】本体ユニット１と、本体ユニット１に直結されるマイク装置２及びヘッドホン３と、イヤホンジャックを有していてそのイヤホンジャックに接続される接続コード５を介して本体ユニット１に接続される音楽再生機器４とから成り、マイク装置２から本体ユニット１内に取り込まれた歌声音声信号と、音楽再生機器４から接続コード５を介して本体ユニット１内に取り込まれた伴奏音声信号とが、ヘッドホン用アンプ１６からヘッドホン３に出力され、音楽再生機器４からの伴奏とマイク装置２からの自らの歌声とを同時に聴取可能にした。【選択図】図１
2015018078.tif 000002
【特許請求の範囲】
【請求項１】
本体ユニットと、前記本体ユニットに直結されるマイク装置及びヘッドホンと、イヤホンジャックを有していてそのイヤホンジャックに接続される接続コードを介して前記本体ユニットに接続される音楽再生機器とから成り、
前記マイク装置は、口周辺部に密着して歌声の漏出を防止するフードと、前記フードの最奥部に配設されるマイク本体とから成り、前記マイク装置から前記本体ユニット内に取り込まれた歌声音声信号と、前記音楽再生機器から前記接続コードを介して前記本体ユニット内に取り込まれた伴奏音声信号とが、前記本体ユニット内のヘッドホン用アンプから同時に前記ヘッドホンに出力され、以て、前記ヘッドホンにおいて、前記音楽再生機器からの伴奏と前記マイク装置からの自らの歌声とを同時に聴取可能にしたことを特徴とする一人カラオケ用ユニット。
【請求項２】
前記音楽再生機器には、少なくとも、イヤホンジャックを備えるＣＤラジカセ、カセットプレーヤー、ＣＤプレーヤーその他のプレーヤー、パソコン、携帯電話、スマートホン、携帯デジタル録音機、テレビが含まれる、請求項１に記載の一人カラオケ用ユニット。
【発明の詳細な説明】
【技術分野】
【０００１】
本発明は一人カラオケ用ユニットに関するものであり、より詳細には、自宅等において一人で楽しむことができ、且つ、周辺に歌声が漏れないマイクを配備した一人カラオケ用ユニットに関するものである。
【背景技術】
【０００２】
現代の人気娯楽の一つとして、所謂カラオケがある。カラオケ施設は、近年、駅前や繁華街、幹線道路沿い等に多くあり、誰でも仲間同士で気軽に利用することができるようになっている。しかるに、近時、自宅でカラオケを楽しむことができる設備や装置も開発され、自宅で一人でカラオケを楽しんだり、練習したりすることができるようになってきている。
【０００３】
ところで、カラオケは、当然に歌を歌うため、自宅でカラオケを楽しむ際は、近隣への騒音が問題と成る可能性がある。このような状況に鑑み、騒音問題が発生しないようにするための発明として、カプセル状の小部屋内にカラオケ装置を導入する方法（特開２００４−１９８５０１号公報）や、反転歌声音波を利用して歌声を消音する方法（特開２００１−３４２７７号公報）等が提唱され、更に、頭を含めた顔全体をヘルメットで覆うタイプのもの（特開平６−２３６１９４号）も提唱されている。
【０００４】
しかし、これらの発明の場合、設備設置及び設置スペース上の問題やコスト上の問題があり、手軽さに欠ける。そこで、手軽に利用し得ることを企図したものとして、特開平６−３２４６８５号公報や特開平１１−１２７４９２号公報に記載の、マイクに被せるカバーによって、歌声の拡散を防止し、騒音の発生を防止するものが提案されている。但し、これらの発明を実施するためには、一般的なカラオケ装置が必要となるため、個人利用の用途には適さない。
【０００５】
そこで、手軽に一人カラオケを楽しむことができるシステムとして、例えば、ＣＤラジカセ等の音楽再生機器３１に、口部分を覆うフード付きのマイク３２を接続するシステムが提案され、市販されている。このシステムの場合、そのマイクコードを再生機器のマイクジャックに接続し、再生機器のイヤホンジャックにヘッドホン３３を接続して使用するもので、再生機器により再生される伴奏は、ヘッドホン３３から利用者の耳に届き、また、利用者の歌声はマイク３２によってピックアップされて再生機器３１内に取り込まれ、伴奏と共に出力されて、伴奏と共にヘッドホン３３を介して利用者の耳に届く（図４参照）。
【０００６】
しかし、このシステムの場合、先ず、再生機器がマイクジャックとイヤホンジャックとを備えていなければ利用することができないため、汎用性に欠けるという欠点がある。
【先行技術文献】
【特許文献】
【０００７】
【特許文献１】特開２００４−１９８５０１号公報
【特許文献２】特開２００１−３４２７７号公報
【特許文献３】特開平６−２３６１９４号公報
【特許文献４】特開平６−３２４６８５号公報
【特許文献５】特開平１１−１２７４９２号公報
【非特許文献１】ｈｔｔｐ：／／ｗｗｗ．ｊｔｔ．ｎｅ．ｊｐ／ｓｈｏｐ／ｐｒｏｄｕｃｔ／ｍｕｔｅ＿ｍｉｃ＿ｉｐｈｏｎｅ／ｉｎｄｅｘ．ｈｔｍｌ
【発明の概要】
【発明が解決しようとする課題】
【０００８】
上述したように、最近は自宅で一人でカラオケを楽しむ人が増えてきており、そのような用途に用いるカラオケ装置として従来提案されているものは、設置にコストとスペースとが必要となるとか、専用のカラオケ装置が必要となるとか、再生機器がマイクジャックとイヤホンジャックとを備えていなければ利用することができず、汎用性に欠けるとかいった問題があった。
【０００９】
そこで本発明は、カラオケ装置が不要で、騒音を発生させることなく、自宅において手軽に使用でき、しかも、対応再生機器に限定がなく、幅広く利用することが可能な一人カラオケ用ユニットを提供することを課題とする。
【課題を解決するための手段】
【００１０】
上記課題を解決するための請求項１に係る発明は、本体ユニットと、前記本体ユニットに直結されるマイク装置及びヘッドホンと、イヤホンジャックを有していてそのイヤホンジャックに接続される接続コードを介して前記本体ユニットに接続される音楽再生機器とから成り、前記マイク装置は、口周辺部に密着して歌声の漏出を防止するフードと、前記フードの最奥部に配設されるマイク本体とから成り、前記マイク装置から前記本体ユニット内に取り込まれた歌声音声信号と、前記音楽再生機器から前記接続コードを介して前記本体ユニット内に取り込まれた伴奏音声信号とが、前記本体ユニット内のヘッドホン用アンプから同時に前記ヘッドホンに出力され、以て、前記ヘッドホンにおいて、前記音楽再生機器からの伴奏と前記マイク装置からの自らの歌声とを同時に聴取可能にしたことを特徴とする一人カラオケ用ユニットである。
【００１１】
前記音楽再生機器には、少なくとも、イヤホンジャックを備えるＣＤラジカセ、カセットプレーヤー、ＣＤプレーヤーその他のプレーヤー、パソコン、携帯電話、スマートホン、携帯デジタル録音機、テレビが含まれる。
【発明の効果】
【００１２】
本発明は上記のとおりであって、特別なカラオケ装置が不要で、イヤホンジャックを有する任意の音楽再生機器を用いて使用することができ、歌唱時に音漏れを発生させるおそれがないため、自宅において手軽に使用できる効果がある。
【図面の簡単な説明】
【００１３】
【図１】本発明に係る一人カラオケ用ユニットの一使用形態を示す図である。
【図２】本発明に係る一人カラオケ用ユニットにおける本体ユニットの内部構成を示すブロック図である。
【図３】本発明に係る一人カラオケ用ユニットにおいて用いるマイク装置の構成を示す斜視図である。
【図４】従来の一人カラオケ用ユニットの使用形態を示す図である。
【発明を実施するための形態】
【００１４】
本発明に係る一人カラオケ用ユニットの構成につき、添付図面に依拠して説明する。本発明に係る一人カラオケ用ユニットは、本体ユニット１と、本体ユニット１に接続されるマイク装置２、ヘッドホン３及びイヤホンジャックを有する音楽再生機器４と、本体ユニット１と音楽再生機器４とを接続する接続コード５とで構成される。ヘッドホン３には、耳を覆うイヤーマフ付きタイプのもの、耳介に掛装するタイプのもの、並びに、耳孔内に挿入するイヤホンタイプのもの等が含まれる。
【００１５】
図２は、本体ユニット１の概略構成を示すブロック図で、そこに示されるように本体ユニット１は、マイク装置２を接続するためのマイク用ジャック（入力端子）１１と、ヘッドホン３を接続するためのヘッドホン用ジャック（出力端子）１２と、音楽再生機器４に接続した接続コード５を接続するための伴奏入力用ジャック（入力端子）１３とを備える。
【００１６】
また、本体ユニット１内には、少なくとも、マイク用ジャック１１に付設されるマイク用アンプ１５と、ヘッドホン用ジャック１２に付設されるヘッドホン用アンプ１６と、伴奏入力用ジャック１３に付設される伴奏用アンプ１７と、マイク装置２の音量調整のための音量調整回路１８とが配設され、また、必要に応じ、マイク音声にエコーを付与するエコー調整回路１９が組み込まれる。
【００１７】
図１に示す例では、音量調整するためのボリューム摘み２５及びエコー調整するためのボリューム摘み２６は回転式ボリュームとなっているが、スライド式ボリュームとすることもできる。通例、音量調整用のボリューム摘み２５は、パワースイッチを兼ねる。なお、各アンプ駆動用の電源（ＤＣ電源）は省略してある。
【００１８】
マイク装置２は、開口部２２が口を完全に包囲し得るサイズの円錐形状等のフード２１を有し、フード２１の最奥部にマイク本体２３が設置される。開口部２２にはウレタンフォーム等の当たりのよい柔軟資材が配され、使用時に口の周縁部に違和感なく密着するように配慮される。マイク装置２はこのような構成であって、使用時にその開口部２２が口の周縁部に密着するため、使用時にその歌声が漏出することが防止される。
【００１９】
音楽再生機器４としては、イヤホンジャックを備えるものであれば特に種類を問わず、例えば、ＣＤラジカセ、カセットプレーヤー、ＣＤプレーヤー、パソコン、携帯電話、スマートホン、携帯型デジタル録音機、テレビ等が利用可能である。これらの音楽再生機器４はそれぞれ、対応するメディアに記録され、あるいは、内蔵メモリーに記録された、バックコーラス等を含む曲の伴奏を再生し、その音声信号を、接続コード５を介して本体ユニット１に供給する。
【００２０】
接続コード５は、一端に伴奏入力用ジャック１３に対応するプラグ５ａを備えると共に、他端にイヤホンプラグ（３．５径）５ｂを備えたものである。そのため、如何なる音楽再生機器４のイヤホンジャックにも接続可能である。換言すれば、この接続コード５を用いることにより、如何なる音楽再生機器４も本体ユニット１に接続可能となる。
【００２１】
かかる構成の本発明に係る一人カラオケ用ユニットを使用するに際しては、本体ユニット１にマイク装置２とヘッドホン３を接続し、また、適宜音楽再生機器４を選択し、そのイヤホンジャックに接続コード５のイヤホンプラグ５ｂを差し込んで音楽再生機器４を本体ユニット１に接続し、準備完了となる。
【００２２】
そこで、ヘッドホン３を耳に装着し、音楽再生機器４のスイッチを入れて所望の曲を選択し、再生操作すると、当該曲の伴奏音声信号が伴奏用アンプ１７に取り込まれ，増幅されてヘッドホン用アンプ１６に送出される。ヘッドホン用アンプ１４に入力された伴奏音声信号は、そこにおいて増幅されてヘッドホンに送出され、ヘッドホン３を装着している利用者は、当該伴奏の聴取が可能となる。
【００２３】
利用者は、マイク装置２の開口部２２を口周辺部に押し当てつつ、歌唱開始時点に至って歌唱を開始する。その歌声はマイク本体２３によってピックアップされ、ピックアップされた歌唱音声信号はマイク用アンプ１５によって増幅されてヘッドホン用アンプ１６に入力される。ヘッドホン用アンプ１６に入力された歌唱音声信号は、上記伴奏音声信号と共にヘッドホン３に送られ、以て利用者は、自らの歌声を伴奏と共に聴取可能となる。利用者は、随時音量調整摘み２５を操作して歌声の大小を調整することができ、また、エコー調整摘み２６を操作してエコーのかけ具合を調整することができる。
【００２４】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２５】
１    本体ユニット
２    マイク装置
３    ヘッドホン
４    音楽再生機器
５    接続コード
１１    マイク用ジャック
１２    ヘッドホン用ジャック
１３    伴奏用ジャック
１５    マイク用アンプ
１６    ヘッドホン用アンプ
１７    伴奏用アンプ
１８    音量調整回路
１９    エコー調整回路
２１    フード
２２    開口部
２３    マイク本体
２５    音量調整摘み
２６    エコー調整摘み
【図１】
2015018078.tif 000003
【図２】
2015018078.tif 000004
【図３】
2015018078.tif 000005
【図４】
2015018078.tif 000006